(57)【要約】      （修正有）【課題】快適で安定して握れるマーキングペンを提供する【解決手段】マーキングペンは、ペン軸１とそれに嵌合されるキャップ２とを備え、ペン軸の先端はペン先であり、ペン軸の後段の両側壁に凹溝１２が設けられ、キャップの一側壁にクリップ２１が設けられている。本マーキングペンは、直方体であるので、便利で綺麗に保存することができる。またマーキングペンが使用される時、握り易いように、一本または複数本のキャップの矩形のクリップをペン軸の凹溝に挿入すれば、安定して便利で快適に使用できる。更に複数本のマーキングペンを連結することができ、置いておくときや携帯するときに便利である。【選択図】図３
0003173498.tif 000002
【実用新案登録請求の範囲】
【請求項１】
ペン軸とそれに嵌合されるキャップを備え、
前記ペン軸の先端はペン先であり、ペン軸の後段の両側壁に凹溝が設けられており、キャップの一側壁にクリップが設けられていることを特徴とするマーキングペン。
【請求項２】
前記ペン先の規格は１８ｍｍ、８ｍｍまたは細先のうちから選択されることを特徴とする請求項１に記載のマーキングペン。
【請求項３】
前記クリップは矩形であることを特徴とする請求項１に記載のマーキングペン。
【請求項４】
前記凹溝はペン軸の底部に開口を備えることを特徴とする請求項１に記載のマーキングペン。
【請求項５】
前記凹溝は矩形であることを特徴とする請求項１に記載のマーキングペン。
【請求項６】
前記クリップと凹溝とは互いに嵌合されるものであり、キャップのクリップがペン軸の後段に設けられた凹溝の開口に沿って挿入されることにより連結可能であることを特徴とする請求項１に記載のマーキングペン。
【請求項７】
前記ペン軸とキャップとは互いに嵌合された後に直方体になることを特徴とする請求項１に記載のマーキングペン。
【請求項８】
前記ペン軸の底部の頂端に凸部が設けられていることを特徴とする請求項１に記載のマーキングペン。
【考案の詳細な説明】
【技術分野】
【０００１】
本実用新案は、文房具類に属して、マーキングペンに関する。
【背景技術】
【０００２】
マーキングペンは紙、木材、金属、ブラスチックやエナメル等の一種または多種材質に記号や目印を付すことができるペンであって、一般的にこのマークは色を有している。従来のマーキングペンのペン軸には何も付いていないので、握って使い難かった。従来、市場に販売されているマーキングペンは大多数が円柱形であり、それを、水平面を有する物体上に置くと容易に転がってしまうと言う欠点が存在していた。そのため、探し出す手間がかかると共に、転落し易くてペン先等の部品が壊れる恐れもあった。同時に、従来のマーキングペンは、置いておくときに不便で、外観に優れないなどの欠点があった。
【考案の概要】
【考案が解決しようとする課題】
【０００３】
従来技術に存在している問題を解決するために、本実用新案の目的は、快適で安定して握れるマーキングペンを提供することである。
【課題を解決するための手段】
【０００４】
本実用新案の技術提案は以下の通りである。
本実用新案はマーキングペンを提供し、該マーキングペンはペン軸とそれに嵌合されるキャップを備え、ペン軸の先端はペン先であり、ペン軸の後段の両側壁に凹溝が設けられており、キャップの一側壁にクリップが設けられている。
【０００５】
前記ペン先の規格は１８ｍｍ、８ｍｍまたは細先（ｆｉｎｅ  ｌｉｎｅ）のうちから選択される。
【０００６】
前記クリップは矩形である。
【０００７】
ペン軸とキャップとの連結の利便性のために、前記凹溝はペン軸の底部に開口を備える。
【０００８】
前記凹溝は矩形である。
【０００９】
前記クリップと凹溝は互いに嵌合されるものであり、キャップのクリップがペン軸の後段に設けられた凹溝の開口に沿って挿入されることにより連結可能である。
【００１０】
前記ペン軸とキャップとは互いに嵌合された後に直方体になるので、外観良く整えて置いておくことができると共に、置いておくときや携帯するときに便利である。
【００１１】
前記ペン軸の底部の頂端に凸部が設けられている。
【００１２】
マーキングペンが使用される時に、先にマーキングペンのキャップ上のクリップをペン軸の後段の凹溝の開口に沿って凹溝に挿入し、このようにして握り易くて安定して使用される。二本のマーキングペンが連結される時に、一本のマーキングペンのキャップ上のクリップを別のマーキングペンのペン軸の後段の凹溝の開口に沿って凹溝に挿入する。これで、二本のマーキングペンを連結することができ、置いておくときに便利であり整えて置くことができる。複数のマーキングペンが連結される時に、一本目のマーキングペンのキャップ上のクリップを二本目のマーキングペンのペン軸の後段の凹溝の開口に沿って凹溝に挿入する。これで、二本のマーキングペンが連結され、次に二本目のマーキングペンのキャップ上のクリップを三本目のマーキングペンのペン軸の後段の凹溝の開口に沿って凹溝に挿入する。これで、三本のマーキングペンが連結され、複数本のマーキングペンの連結を続けて行うことができ、接続された後の直方体は置いておくときに便利であり整えて置くことができる。
【考案の効果】
【００１３】
本実用新案は、従来技術と比較して、以下のような利点と有益な効果を有する。
【００１４】
１．本実用新案のマーキングペンは使用される時、便利に握れるために、一本または複数本のキャップの矩形のクリップをペン軸の凹溝に挿入すれば、安定して便利で快適に使用できる。
【００１５】
２．本実用新案のマーキングペンは使用されない時、複数本のマーキングペンを連結することができるので、外観良く整えて置くことができると共に、置いておくときや携帯するときに便利である。
【００１６】
３．本実用新案のマーキングペンは直方体であり、便利で外観良く置いておくことができる。
【図面の簡単な説明】
【００１７】
【図１】本実用新案におけるマーキングペンのペン軸の説明図である。
【図２】本実用新案におけるマーキングペンのキャップの説明図である。
【図３】図１に示すペン軸と図２に示すキャップの連結方式を示す説明図であり、連結される時にキャップが上に、ペン軸が下に位置する。
【図４】図１に示すペン軸と図２に示すキャップの他の連結方式を示す説明図であり、連結される時にキャップが下に、ペン軸が上に位置する。
【図５】図３に示すマーキングペンの正面図である。
【図６】図３に示すマーキングペンの側面図である。
【図７】図３に示すマーキングペンの平面図である。
【図８】図３に示すマーキングペンの底面図である。
【図９】本実用新案におけるマーキングペンのキャップとペン軸が連結された後の説明図である。
【図１０】本実用新案における二本のマーキングペンが連結される過程の説明図である。
【図１１】本実用新案における二本のマーキングペンが連結された後の説明図である。
【図１２】本実用新案における三本のマーキングペンが連結される過程の説明図である。
【図１３】本実用新案における三本のマーキングペンが連結される状態の説明図である。
【考案を実施するための形態】
【００１８】
以下、図面に示す実施例を参照しながら本実用新案について更に説明する。
【００１９】
図１は本実用新案におけるマーキングペンのペン軸の説明図である。このマーキングペンはペン軸１とそれに嵌合されるキャップ２を備える。ペン軸１の先端はペン先１１であり、ペン軸１の後段の両側壁に凹溝１２が設けられており、ペン軸１の底部の頂端に凸部１３が設けられている。
【００２０】
図２は本実用新案におけるマーキングペンのキャップの説明図であり、キャップ２の一側壁にクリップ２１が設けられている。図３は図１に示すペン軸と図２に示すキャップの連結方式の説明図であり、連結される時にキャップが上に、ペン軸が下に位置する。図４は図１に示すペン軸と図２に示すキャップの他の連結方式の説明図であり、連結される時にキャップが下に、ペン軸が上に位置する。図５は図３に示すマーキングペンの正面図である。図６は図３に示すマーキングペンの側面図である。図７は図３に示すマーキングペンの平面図である。図８は図３に示すマーキングペンの底面図である。
【００２１】
ペン先１１の規格は１８ｍｍ、８ｍｍまたは細先のいずれかに設定されており、必要に応じて使用者が自由に選択できる。またペン軸とキャップとが連結され易いように、クリップ２１は矩形であって、凹溝１２はペン軸１の底部に開口を備え、かつ凹溝１２は矩形である。クリップ２１と凹溝１２は互いに嵌合されるものであり、キャップ２上のクリップ２１がペン軸１の後段の凹溝１２の開口に沿って挿入されることにより連結可能である。ペン軸１とキャップ２は互いに嵌合された後に直方体になっているので、外観良く整えておくことができると共に、置いておくときや携帯するときに便利である。
【００２２】
マーキングペンを使う時に、ペン軸自身の本体は薄くて、握りにくいため、一本または複数本のキャップの矩形のクリップをペン軸の後段の凹溝１２の開口に沿って挿入すれば、安定して、便利で快適に使用できる。
【００２３】
マーキングペンが使用される時に、先にマーキングペンのキャップ２上のクリップ２１をペン軸１の後段の凹溝１２の開口に沿って凹溝１２に挿入し、このようにして握り易くて安定して使用される。図９は本実用新案におけるマーキングペンのキャップとペン軸が連結された状態の説明図である。図１０は本実用新案における二本のマーキングペンが連結される過程の説明図である。二本のマーキングペンが連結される時に、一本のマーキングペンのキャップ２上のクリップ２１を別のマーキングペンのペン軸１の後段の凹溝１２の開口に沿って凹溝１２に挿入して、二本のマーキングペンは連結され、比較的に便利で整えて置くことができる。図１１は本実用新案における二本のマーキングペンが連結された状態の説明図である。
【００２４】
図１２は本実用新案における三本のマーキングペンが連結される過程の説明図である。一本目のマーキングペンのキャップ２上のクリップ２１を二本目のマーキングペンのペン軸１の後段の凹溝１２の開口に沿って凹溝１２に挿入して、二本のマーキングペンが連結され、また二本目のマーキングペンのキャップ２上のクリップ２１を三本目のマーキングペンのペン軸１の後段の凹溝１２の開口に沿って凹溝１２に挿入して、三本のマーキングペンが連結されている。図１３は本実用新案における三本のマーキングペンが連結された状態の説明図である。複数本のマーキングペンの連結を続けて行うことができ、接続された後の直方体は、外観良く整えて置いておくことができると共に、置いておくときや携帯するときに便利であり、置くときには水平または垂直のいずれの状態でもよい。
上記実施形態の記載は、当業者が本実用新案を理解し、使用できるようにするためのものである。当業者は、これらの実施形態に対して各種の変更または修正を容易に行い得ることは明らかであり、更にここで説明した原理を創造的なプロセスを経ずに他の実施例に応用できる。このため、本実用新案は上記実施形態に限定されず、当業者が本実用新案の主旨に基づいて本実用新案の範疇から離れずに行った改良または修正は本考案の技術的範囲に属すべきである。
【図１】
0003173498.tif 000003
【図２】
0003173498.tif 000004
【図３】
0003173498.tif 000005
【図４】
0003173498.tif 000006
【図５】
0003173498.tif 000007
【図６】
0003173498.tif 000008
【図７】
0003173498.tif 000009
【図８】
0003173498.tif 000010
【図９】
0003173498.tif 000011
【図１０】
0003173498.tif 000012
【図１１】
0003173498.tif 000013
【図１２】
0003173498.tif 000014
【図１３】
0003173498.tif 000015